(57)【要約】【課題】  抜差時にＰＣカードの損傷を防止することができると共に、簡単な構造でＰＣカードの放熱を行うことができ、しかも、差し込んだＰＣカードを容易に排出することができる機構を備えたＰＣカード用コネクタを提供する。【解決手段】  ハウジング１と可動トレイ２と放熱板３とカード排出機構４とカード圧接機構５とを備える。カード排出機構４をロッド４０と第１及び第２のレバー４１，４２とで構成し、ロッド４０の押込操作で、ＰＣカード１００を排出する。カード圧接機構５を付勢部６とカムホロア部７とで構成し、ＰＣカード１００を挿入時に放熱板３に圧接させ、抜取時に放熱板３から離反させる。具体的には、付勢部６をプレート６０と付勢部材６１とで構成し、カムホロア部７を可動トレイ２のホロア７０と側部１２，１３のガイド孔７１とカム７６を有した第１及び第２のスライダ７２，７３とで構成した。【選択図】図１
2005242946.tif 000002
【特許請求の範囲】
【請求項１】
ＰＣカードを接続するためのコネクタ部を前部に有し、このコネクタ部の両側から後方に延出した一対の側部を有したハウジングと、
このハウジングの上記一対の側部間に配されて、上下方向及び載置されたＰＣカードと共に前後方向に移動可能な可動トレイと、
上記ハウジングの一対の側部の上部に架けられて固定された放熱板と、
上記可動トレイを後方に移動させることで、当該可動トレイに載置され上記コネクタ部に接続されたＰＣカードを排出するためのカード排出機構と、
上記可動トレイに上方への付勢力を与える付勢部，及び上記可動トレイの前進時にこの付勢部による可動トレイへの付勢力を解放し且つ上記可動トレイの後退時に付勢部の付勢力に抗して可動トレイを押し下げるカムホロア部を有するカード圧接機構と
を具備することを特徴するＰＣカード用コネクタ。
【請求項２】
請求項１に記載のＰＣカード用コネクタにおいて、
上記カード排出機構を、
上記一対の側部のうち一方の側部の外側に前後方向に移動可能に取り付けられたイジェクタロッドと、
上記ハウジングの前部に回動自在に軸支され且つ一方端部が上記イジェクタロッドの前端部に連結されると共に他方端部が上記可動トレイに係合した第１のレバーと、
この第１のレバーとリンクした状態で上記ハウジングの前部に回動自在に軸支され且つ第１のレバーの上記他端部とは逆側の端部が上記可動トレイに係合した第２のレバーとで構成した、
ことを特徴とするＰＣカード用コネクタ。
【請求項３】
請求項２に記載のＰＣカード用コネクタにおいて、
孔を、上記第１のレバーの部位であって上記軸支位置から上記他方端部の間の部位に設けると共に、突起を、上記第２のレバーの部位であって上記軸支位置から上記端部の間の部位に設け、この突起を上記孔内に嵌めることにより、これら第１及び第２のレバーをリンクさせた、
ことを特徴とするＰＣカード用コネクタ。
【請求項４】
請求項２または請求項３に記載のＰＣカード用コネクタにおいて、
上記カード圧接機構の付勢部を、
上記可動トレイを載せた状態で上下動可能なプレートと、
このプレートを上方に付勢する付勢部材とで構成し、
上記カード圧接機構のカムホロア部を、
上記可動トレイの両側部にそれぞれ突設されたホロアと、
上記一対の側部にそれぞれ穿設されて上記ホロアが嵌められ、このホロアの上下動を縦長部で許し且つ縦長部の下端部より後方に延出した横長部で阻止する逆略Ｌ字状のガイド孔と、
前端部が上記第１のレバーの他方端部と接触した状態で上記一対の側部の一方に前後移動可能に取り付けられ、且つ後方への移動時にその傾斜面で上記ホロアを押し下げるカムが突設された第１のスライダと、
前端部が上記第２のレバーの上記端部と接触した状態で上記一対の側部の他方に前後移動可能に取り付けられ、且つ後方への移動時にその傾斜面で上記ホロアを押し下げるカムが突設された第２のスライダとで構成した、
ことを特徴とするＰＣカード用コネクタ。
【請求項５】
請求項１ないし請求項４のいずれかに記載のＰＣカード用コネクタにおいて、
上記ＰＣカードとの接触時にオン状態になる一以上の検知スイッチを上記放熱板の下面に取り付け、
各検知スイッチを、上記放熱板の下面側に固定された第１及び第２の固定接点と、これら第１及び第２の固定接点の下側に位置し、これら第１及び第２の固定接点に接触又は離反して検知スイッチをオン状態又はオフ状態にする可動接点とにより構成した、
ことを特徴とするＰＣカード用コネクタ。
【請求項６】
請求項５に記載のＰＣカード用コネクタにおいて、
一のライン印刷部とこのライン印刷部から分岐した一以上の検知スイッチ形成部とを有するフレキシブル基板を、上記放熱板の下面に配し、
上記各検知スイッチ形成部に、上記第１及び第２の固定接点を形成すると共にこれら第１及び第２の固定接点を囲むように所定高さのスペーサを設け、このスペーサに、非接触状態で第１及び第２の固定接点覆い且つその弾性によってこれら第１及び第２の固定接点と接離可能な上記可動接点としての導電性部材を取り付け、
上記ライン印刷部に、上記第１及び第２の固定接点とそれぞれ電気的に接続した複数のラインを形成し、当該ライン印刷部を上記放熱板の外部に延出させた、
ことを特徴とするＰＣカード用コネクタ。
【請求項７】
請求項５または請求項６に記載のＰＣカード用コネクタにおいて、
上記一以上の検知スイッチをそれぞれ収納した一以上の開孔を有する放熱シートを、上記放熱板の下面に貼り付け、
各検知スイッチの可動接点先端を、当該放熱シートの開孔から下方に所定量突出するように設定した、
ことを特徴とするＰＣカード用コネクタ。
【発明の詳細な説明】
【技術分野】
【０００１】
この発明は、ＰＣカードを受け入れるＰＣカード用コネクタに関し、特にＰＣカードの放熱手段を有したＰＣカード用コネクタ関するものである。
【背景技術】
【０００２】
一般に、ノート型パソコンには機能を拡張するためのＰＣカードスロットが標準的に装備され、そこに、ＰＣカード用コネクタが組み込まれている。これにより、ＰＣカードをＰＣカードスロットに挿入して、ＰＣカード用コネクタに接続することで、無線通信などをこのＰＣカードを通じてノートパソコンから行うことができるようになっている。
ところで、最近では、ＰＣカードが、有線及び無線LAN機能、拡張メモリ機能、ハードディスクユニット等の他、テレビジョン受信機等の機能も持つようになってきている。かかる高機能のＰＣカードにおいては、高密度のＬＳＩをＰＣカード内部に設けているので、高温の熱を発生する。このため、放熱手段を有したＰＣカード用コネクタが提案されている。
例えば、この種のＰＣカード用コネクタとしては、ＰＣカードを接続すると、ＰＣカードがコネクタに固定された放熱板に直接接触し、ＰＣカードの発熱をこの放熱板を通じて逃がすものがある（例えば、特許文献１参照）。また、可動の放熱板をＰＣカード用コネクタに設け、この放熱板を移動させることにより、ＰＣカードの使用及び非使用に応じて、放熱板を、ＰＣカードに接触させたり、ＰＣカードから離したりすることができるようにした技術もある（例えば、特許文献２参照）。
【０００３】
【特許文献１】特開平１０−１９８４６２号公報
【特許文献２】特開平０３−１８８５８９号公報
【発明の開示】
【発明が解決しようとする課題】
【０００４】
しかし、上記した従来のＰＣカード用コネクタでは、次のような問題がある。
前者のＰＣカード用コネクタでは、ＰＣカードをＰＣカード用コネクタに差し込んでいく際、ＰＣカード側面及び上下面が放熱板に擦りながら接続されるので、ＰＣカードが放熱板との摩擦によって傷が付くおそれがある。
また、後者のＰＣカード用コネクタでは、ＰＣカードの差し込みの際には、ＰＣカードが放熱板に接触しないので、ＰＣカードは放熱板との摩擦によって傷が付くおそれはない。しかしながら、大型で重い放熱板を移動させる機構が必要であるので、堅牢な放熱板可動機構が必要となり、その分製造コストの上昇を招く。
さらに、前者及び後者のＰＣカード用コネクタは、挿入したＰＣカードを容易に排出することができる機構を備えていないので、非常に不便である。
【０００５】
この発明は、上述した課題を解決するためになされたもので、抜き差し時におけるＰＣカードの損傷を防止することができるだけでなく、簡単な構造でＰＣカードの放熱を行うことができ、しかも、差し込んだＰＣカードを容易に排出することができる機構を備えたＰＣカード用コネクタを提供することを目的とする。
【課題を解決するための手段】
【０００６】
上記課題を解決するために、請求項１の発明に係るＰＣカード用コネクタは、ＰＣカードを接続するためのコネクタ部を前部に有し、このコネクタ部の両側から後方に延出した一対の側部を有したハウジングと、このハウジングの一対の側部間に配されて、上下方向及び載置されたＰＣカードと共に前後方向に移動可能な可動トレイと、ハウジングの一対の側部の上部に架けられて固定された放熱板と、可動トレイを後方に移動させることで、当該可動トレイに載置されコネクタ部に接続されたＰＣカードを排出するためのカード排出機構と、可動トレイに上方への付勢力を与える付勢部，及び可動トレイの前進時にこの付勢部による可動トレイへの付勢力を解放し且つ可動トレイの後退時に付勢部の付勢力に抗して可動トレイを押し下げるカムホロア部を有するカード圧接機構とを具備する構成とした。
かかる構成により、ＰＣカードをハウジングに挿入してコネクタ部に接続すると、ＰＣカードが載置された可動トレイがＰＣカードと共に前方向に移動する。すると、カード圧接機構のカムフォロア部によって、付勢部による可動トレイへの付勢力が解放されるので、その付勢力によって可動トレイが上方に移動し、可動トレイに載置されたＰＣカードが、ハウジングの一対の側部の上部に架けられて固定された放熱板に圧接する。
そして、ＰＣカードを抜く場合には、カード排出機構を用いて、可動トレイを後方に移動させる。すると、カード圧接機構のカムフォロア部によって、可動トレイが付勢部の付勢力に抗して押し下げられ、可動トレイに載置されたＰＣカードが、放熱板から離反する。この結果、ＰＣカードを放熱板に擦ることなく抜くことができる。
【０００７】
また、請求項２の発明は、請求項１に記載のＰＣカード用コネクタにおいて、カード排出機構を、一対の側部のうち一方の側部の外側に前後方向に移動可能に取り付けられたイジェクタロッドと、ハウジングの前部に回動自在に軸支され且つ一方端部がイジェクタロッドの前端部に連結されると共に他方端部が可動トレイに係合した第１のレバーと、この第１のレバーとリンクした状態でハウジングの前部に回動自在に軸支され且つ第１のレバーの他端部とは逆側の端部が可動トレイに係合した第２のレバーとで構成した。
かかる構成により、ＰＣカードをハウジングに挿入してコネクタ部に接続すると、ＰＣカードが載置された可動トレイがＰＣカードと共に前方向に移動する。すると、この可動トレイが係合したカード排出機構の第１のレバーの他方端部と第２のレバーの端部とが前方に回動させられる。そして、第１のレバーの他端部が前方に回動することから、一方端部が後方に回動する。これにより、第１のレバーの一方端部に前端部が連結されたイジェクタロッドが後方に移動させられる。
そして、ＰＣカードを抜く場合には、後方に移動しているカード排出機構のイジェクタロッドを前方に移動させる。すると、第１のレバーの一方端部が前方に回動するので、第１のレバーの他方端部と第１のレバーにリンクした第２のレバーの端部とが、後方に回動する。この結果、第１のレバーの他方端部と第２のレバーの端部とに係合した可動トレイがＰＣカードと共に後方に移動するので、ＰＣカードを抜くことができる。
【０００８】
特に、請求項３の発明は、請求項２に記載のＰＣカード用コネクタにおいて、孔を、第１のレバーの部位であって軸支位置から他方端部の間の部位に設けると共に、突起を、第２のレバーの部位であって軸支位置から端部の間の部位に設け、この突起を孔内に嵌めることにより、これら第１及び第２のレバーをリンクさせた構成とする。
【０００９】
さらに、請求項４の発明は、請求項２または請求項３に記載のＰＣカード用コネクタにおいて、カード圧接機構の付勢部を、可動トレイを載せた状態で上下動可能なプレートと、このプレートを上方に付勢する付勢部材とで構成し、カード圧接機構のカムホロア部を、可動トレイの両側部にそれぞれ突設されたホロアと、一対の側部にそれぞれ穿設されてホロアが嵌められ、このホロアの上下動を縦長部で許し且つ縦長部の下端部より後方に延出した横長部で阻止する逆略Ｌ字状のガイド孔と、前端部が第１のレバーの他方端部と接触した状態で一対の側部の一方に前後移動可能に取り付けられ、且つ後方への移動時にその傾斜面でホロアを押し下げるカムが突設された第１のスライダと、前端部が第２のレバーの端部と接触した状態で一対の側部の他方に前後移動可能に取り付けられ、且つ後方への移動時にその傾斜面でホロアを押し下げるカムが突設された第２のスライダとで構成した。、
かかる構成により、初期時に、カムフォロア部のホロアをガイド孔の横長部に嵌めた状態で、可動トレイをプレートに載せておくことができる。この状態では、ホロアの上下動がガイド孔の横長部で阻止されるので、付勢部材がプレートを上方に付勢していても、可動トレイが上方に移動することはない。かかる状態で、ＰＣカードを挿入して可動トレイを前方向に移動させると、ホロアがガイド孔の縦長部に至り、ホロアの上方への移動が許される。これにより、プレートが可動トレイを載せた状態で上方に移動し、可動トレイ上のＰＣカードが放熱板に圧接する。
そして、イジェクタロッドを前方に移動させ、第１のレバーの他方端部と第２のレバーの端部とを後方に回動させると、前端部が第１のレバーの他方端部に接触した第１のスライダと、同じく前端部が第２のレバーの端部と接触した第２のスライダとが、後方に移動する。これにより、第１及び第２のスライダのカムがその傾斜面でホロアを押し下げる。これにより、可動トレイとプレートとが付勢部材の付勢力に抗して下方に移動し、放熱板から離反する。さらに、第１及び第２のスライダが後方に移動することで、ホロアがガイド孔の横長部内に入り込み、ホロアの上方への移動が阻止される。  
【００１０】
特に、請求項５の発明は、請求項１ないし請求項４のいずれかに記載のＰＣカード用コネクタにおいて、ＰＣカードとの接触時にオン状態になる一以上の検知スイッチを放熱板の下面に取り付け、各検知スイッチを、放熱板の下面側に固定された第１及び第２の固定接点と、これら第１及び第２の固定接点の下側に位置し、これら第１及び第２の固定接点に接触又は離反して検知スイッチをオン状態又はオフ状態にする可動接点とにより構成した。
かかる構成により、ＰＣカードが放熱板に圧接すると、必然的に一以上の検知スイッチに接触して、各検知スイッチがオン状態になる。したがって、この一以上の検知スイッチと電気的に接続した表示装置をＰＣカード用コネクタの外部等に設けることで、ＰＣカードが放熱板に確実に圧接しているか否かを判断することができる。
【００１１】
さらに、請求項６の発明は、請求項５に記載のＰＣカード用コネクタにおいて、一のライン印刷部とこのライン印刷部から分岐した一以上の検知スイッチ形成部とを有するフレキシブル基板を、放熱板の下面に配し、各検知スイッチ形成部に、第１及び第２の固定接点を形成すると共にこれら第１及び第２の固定接点を囲むように所定高さのスペーサを設け、このスペーサに、非接触状態で第１及び第２の固定接点覆い且つその弾性によってこれら第１及び第２の固定接点と接離可能な可動接点としての導電性部材を取り付け、ライン印刷部に、第１及び第２の固定接点とそれぞれ電気的に接続した複数のラインを形成し、当該ライン印刷部を放熱板の外部に延出させた構成とする。
【００１２】
また、請求項７の発明は、請求項５または請求項６に記載のＰＣカード用コネクタにおいて、一以上の検知スイッチをそれぞれ収納した一以上の開孔を有する放熱シートを、放熱板の下面に貼り付け、各検知スイッチの可動接点先端を、当該放熱シートの開孔から下方に所定量突出するように設定した構成とする。
【発明の効果】
【００１３】
以上説明したように、この発明のＰＣカード用コネクタによれば、ＰＣカードを挿入した時点で、ＰＣカードが放熱板に初めて接触し、抜くときには、放熱板がＰＣカードから離れるので、ＰＣカードの挿抜時における放熱板との摩擦による損傷を防止することができ、この結果、ＰＣカードの長寿命化を図ることができる。しかも、大型で重い放熱板を上下動させるのでなく、軽いＰＣカードを上下動させる構成であるので、簡単な構成でＰＣカードの冷却が可能となり、その分製造コストの低減化を図ることができる。また、カード排出機構を備えているので、差し込んだＰＣカードを容易に排出することができ、非常に便利である。
また、一以上の検知スイッチを設けることで、ＰＣカードが放熱板に確実に圧接しているか否かを判断することができるので、ＰＣカード用コネクタの信頼性を高めることができる。
【発明を実施するための最良の形態】
【００１４】
以下、この発明の最良の形態について図面を参照して説明する。
【実施例１】
【００１５】
図１は、この発明の第１実施例に係るＰＣカード用コネクタを示す斜視図であり、図２は、放熱板を搭載した状態を示すＰＣカード用コネクタの斜視図であり、図３はＰＣカード用コネクタの平面図であり、図４はＰＣカード用コネクタの側面図である。
これらの図に示すように、この実施例のＰＣカード用コネクタは、ハウジング１と可動トレイ２と放熱板３とカード排出機構４とカード圧接機構５とを備えている。
【００１６】
ハウジング１は、コネクタ部１０と一対の側部１２，１３とを有してなる。
コネクタ部１０は、ＰＣカード１００を接続するための部分であり、ハウジング１の前部１１（図１，２及び４の右部、図３の上部）に取り付けられている。前部１１は、合成樹脂で形成されており、コネクタ部１０は端子受入口１０ａを後方に向けた状態でこの前部１１に組み付けられている。
また、一対の側部１２，１３は、断面Ｌ字状のステンレス製の部材であり、前部１１に取り付けられ、コネクタ部１０の両側から後方（図１，２及び４の左方向、図３の下方向）に延出している。
【００１７】
可動トレイ２は、ＰＣカード１００を挿入して載置するためのステンレス製板体であり、上記一対の側部１２，１３間に配されて、上下方向（図１，２及び４の上方向及び下方向、図３の紙面表及び裏方向）に移動することができる。そして、この可動トレイ２の両側には、一対の側部１２，１３の内面に当接する起立部２０が複数列設されている。これらの起立部２０は、挿入されたＰＣカード１００の両側位置を規制するものであり、その内側位置には、複数の山形部２１が配置形成されている。これにより、ＰＣカード１００を挿入すると、ＰＣカード１００の両側部が山形部２１に乗り上げ、ＰＣカード１００が可動トレイ２の表面に接触して損傷することを防止すると共に、両側の厚さが異なる２種類のＰＣカード１００の上下のセンター出しを行う。また、図３にも示すように、かかる可動トレイ２は、一対の係合片２２，２３をその前部両端に有している。これら係合片２２，２３は、後述する第１及び第２のレバー４１，４２に係合させるための部分であり、可動トレイ２の前端であって第１及び第２のレバー４１，４２の端部に対応した個所を垂直に立ち上げることで形成した。
【００１８】
放熱板３は、ＰＣカード１００の発熱を放熱して冷却するための部材であり、アルミダイキャストにより形成されている。この放熱板３は、図２に示すように、平板ベース３０とその上に立設した複数のフィン３１とでなり、上記可動トレイ２の真上に位置するように、ハウジング１に固定されている。具体的には、図１に示すように、複数のタブ３２を一対の側部１２，１３の上端部に形成し、放熱板３を、一対の側部１２，１３上に架けた状態で、これらのタブ３２にネジ止めするなどして固定している。この結果、可動トレイ２と放熱板３との間の空間後部がＰＣカード１００の受入口をなし、ＰＣカード１００をこの受入口から挿入して、コネクタ部１０に接続することができる。
【００１９】
カード排出機構４は、上記のように挿入したＰＣカード１００を排出するための機構である。
具体的には、図３に示すように、カード排出機構４は、イジェクタロッド４０と第１のレバー４１と第２のレバー４２とで構成されている。
【００２０】
イジェクタロッド４０は、ＰＣカード用コネクタの外部から操作することができるステンレス製の部材であり、押圧用の釦４０ａをその後端部には有している。このイジェクタロッド４０は、一対の側部１２，１３のうちの側部１３の外側に前後方向に移動可能に取り付けられている。すなわち、一対の保持片４０ｂ，４０ｂが側部１２のフランジ部に立設され、イジェクタロッド４０がこれら一対の保持片４０ｂ，４０ｂによって前後移動可能に保持されている。
【００２１】
第１及び第２のレバー４１，４２は、かかるイジェクタロッド４０の操作によって回動する部材である。
第１のレバー４１は、ステンレス製の長尺状板体であり、軸４１ａによって、ハウジング１の前部１１の上面に回動自在に軸支されている。そして、この第１のレバー４１の一方端部４１ｂは、イジェクタロッド４０の前端部に形成された連結孔４０ｃに係合され、イジェクタロッド４０の前後移動で回動するようになっている。また、第１のレバー４１の他方端部４１ｃには、垂下した舌片４１ｄが形成され（図１参照）、この舌片４１ｄが可動トレイ２の係合片２２に係合されている。これにより、可動トレイ２の前方移動によって、第１のレバー４１の他方端部４１ｃが前方に回動すると共に一方端部４１ｂが後方に回動して、イジェクタロッド４０を後方に移動させる。また、イジェクタロッド４０の押し戻しにより、第１のレバー４１の他方端部４１ｃが後方移動して、可動トレイ２を後方に押し戻すようになっている。
【００２２】
一方、第２のレバー４２も、ステンレス製の長尺状板体であり、軸４２ａによって、前部１１上面に回動自在に軸支されている。さらに、この第２のレバー４２は、上記第１のレバー４１とリンクした状態で取り付けられている。すなわち、リンク部４３が第１及び第２のレバー４１，４２間に形成され、第２のレバー４２に設けた突起４３ａが、第１のレバー４１の一方端部４１ｂと軸４１ａの間の部分に設けた長孔４３ｂ内に嵌め込まれている。これにより、第１及び第２のレバー４１，４２同士がリンク部４３を通じて連動するようになっている。また、この第２のレバー４２の端部４２ｂには、垂下した舌片４２ｄが形成され（図１参照）、この舌片４２ｄが可動トレイ２の係合片２３に係合されている。これにより、可動トレイ２の前方移動によって、第２のレバー４２の端部４２ｂが前方に回動すると共に、この回動がリンク部４３を通じて第１のレバー４１の一方端部４１ｂを後方に移動させるように補助し、イジェクタロッド４０を円滑に後方に移動させる。また、イジェクタロッド４０の押し戻しにより、第１のレバー４１の他方端部４１ｃが後方移動すると、リンク部４３の機能により、第２のレバー４２の端部４２ｂも後方に回動し、第１のレバー４１の他方端部４１ｃと協働して可動トレイ２を後方に押し戻す。
【００２３】
図１において、カード圧接機構５は、ＰＣカード１００を挿入時に放熱板３に圧接させ、抜き取り時に放熱板３から離反させる機構であり、付勢部６とカムホロア部７とでなる。
【００２４】
付勢部６は、可動トレイ２に上方への付勢力を与える部分であり、プレート６０と付勢部材６１とを有する。
図５は、プレート６０が付勢部材６１の付勢力に抗して最下位に位置している状態を示す部分断面図であり、図６は、プレート６０が付勢部材６１の付勢力によって最上位に持ち上がられている状態を示す部分断面図である。
プレート６０は、図５に示すように、可動トレイ２を載せた状態で上下動可能なステンレス製板体であり、複数のタブ６０ａを両側部に有している。そして、タブ６０ａが、一対の側部１２，１３にそれぞれ穿設された矩形口６０ｂに嵌められた状態で、側部１２，１３の外側突出している。
付勢部材６１は、プレート６０を上方に付勢するスプリングであり、一対の側部１２，１３の上部に形成したフック部６１ａと上記タブ６０ａとに引っかけられている。
これにより、図６に示すように、プレート６０は、付勢部材６１の付勢力によって、上方に持ち上がられ、可動トレイ２がプレート６０と一体に持ち上げられるようになっている。
【００２５】
一方、図１に示すカムホロア部７は、可動トレイ２の前進時に上記付勢部６による付勢力を解放し且つ可動トレイ２の後退時に付勢部６の付勢力に抗して可動トレイ２を押し下げる部分である。
図７は、カムホロア部７を示す部分拡大図であり、図８は、可動トレイ２から突出したホロアとスライダのカムとの係合状態を示す断面図である。
これらの図に示すように、カムホロア部７は、可動トレイ２の両側部に突設されたホロア７０と、一対の側部１２，１３に穿設された逆略Ｌ字状のガイド孔７１と、第１及び第２のスライダ７２，７３とを有している。
各ガイド孔７１は、逆略Ｌ時の前部を形成する縦長部７１ａと、縦長部７１ａの下端部より後方に延出した横長部７１ｂとを有し、上記ホロア７０はかかるガイド孔７１に嵌められている。これにより、縦長部７１ａがホロア７０の上下動を許し、横長部７１ｂがホロア７０の上下動を阻止すると共に後方への移動を許すようになっている。
また、第１のスライダ７２（第２のスライダ７３）は、図４に示すように、ステンレス製の長尺体であり、側部１２（１３）に前後移動可能に取り付けられている。具体的には、複数のスライダホルダ７４が側部１２（１３）の外側に設けられ、第１のスライダ７２（第２のスライダ７３）がこれらのスライダホルダ７４によって水平に保持されている。また、第１のスライダ７２（第２のスライダ７３）は、逆Ｌ字状をなし、その起立した前端部７２ａ（７３ａ）が、第１のレバー４１（第２のレバー４２）の他方端部４１ｃ（端部４２ｂ）と接触している（図３参照）。
さらに、このような第１のスライダ７２（第２のスライダ７３）は、図７及び図８に示すように、カム７６を有している。
カム７６は、第１のスライダ７２（第２のスライダ７３）に下向きに突設されており、第１のスライダ７２（第２のスライダ７３）の後方への移動時にホロア７０を押し下げる機能を有する。
すなわち、前方に傾斜する傾斜面７６ａと垂直な係合面７６ｂとが、カム７６の後面に形成されており、ホロア７０が、縦長部７１ａ内に位置するときに、傾斜面７６ａがホロア７０に当接し、横長部７１ｂ内に位置するときに、係合面７６ｂがホロア７０に係合するようになっている。
これにより、可動トレイ２が図７の矢印で示すように前方移動して、ホロア７０がガイド孔７１の横長部７１ｂ内を前方移動すると、ホロア７０が係合面７６ｂに係合して、第１のスライダ７２（第２のスライダ７３）を前方にスライドさせる。そして、ホロア７０が縦長部７１ａに至ると、図９に示すように、ホロア７０がカム７６の傾斜面７６ａに沿って上方に移動して停止する。また、図１０に示すように、第１のスライダ７２（第２のスライダ７３）が、後方にスライドすると、ホロア７０がカム７６の傾斜面７６ａによって縦長部７１ａ内を下方に押し下げられた後、係合面７６ｂによって横長部７１ｂ内に押し込められるようになっている。
【００２６】
次に、このＰＣカード用コネクタ１の使用例について説明する。
図１１は、初期時におけるＰＣカード用コネクタの側面図であり、図１２は、ＰＣカード１００をコネクタ部１０に接続する前のＰＣカード１００と放熱板３との関係を示す断面図であり、図１３は、初期時におけるＰＣカード用コネクタの平面図である。
まず、初期時においては、図１１に示すように、カムホロア部７のホロア７０をガイド孔７１の横長部７１ｂに嵌めて、図１２に示すように、付勢部６の付勢部材６１によるプレート６０の上方移動を阻止しておく。
この状態では、プレート６０上の可動トレイ２が最下位にある。したがって、ＰＣカード１００を可動トレイ２に載せて挿入していくと、間隙Ｂが可動トレイ２の上面と放熱板３の下面との間に維持されるので、可動トレイ２が挿入操作時に放熱板３に接触して、損傷することはない。
そして、ＰＣカード１００をさらに前進させていくと、図１３に示すように、ＰＣカード１００の前端が可動トレイ２の前部両端に起立する係合片２２，２３に当接する。
【００２７】
このＰＣカード１００をコネクタ部１０に接続するには、ＰＣカード１００をさらに前進させる。
図１４は、ＰＣカード１００接続時におけるＰＣカード用コネクタの平面図であり、図１５は、ＰＣカード１００接続時におけるＰＣカード用コネクタの側面図であり、図１６は、ＰＣカード１００接続時におけるＰＣカード１００と放熱板３との関係を示す断面図である。
図１３に示す状態から、右向き矢印で示すように、ＰＣカード１００をさらに前進させると、可動トレイ２の係合片２２，２３が第１及び第２のレバー４１，４２の舌片４１ｄ，４２ｄを押し、第１及び第２のレバー４１，４２の他方端部４１ｃ，端部４２ｂが前方に回動する。この動作と連動して、左向き矢印で示すように、第１のレバー４１の一方端部４１ｂが後方に回動して、イジェクタロッド４０が後方に移動する。そして、ＰＣカード１００を前方に完全に押し込むことで、図１４に示すように、ＰＣカード１００がコネクタ部１０と接続されると共に、イジェクタロッド４０が後方に押し出された状態になる。
かかるＰＣカード１００の接続操作時においては、図１５に示すように、可動トレイ２の前方移動に伴って、第１のスライダ７２（第２のスライダ７３）のカム７６に係合したホロア７０が、第１のスライダ７２（第２のスライダ７３）を前方に押しながら、ガイド孔７１の横長部７１ｂ内を前方に移動する。そして、ホロア７０が縦長部７１ａに至ると、付勢部材６１の付勢力によって、縦長部７１ａの最上位まで移動する。
この結果、図１６に示すように、可動トレイ２が、付勢部材６１によってプレート６０と一体に押し上げられ、ＰＣカード１００の上面が放熱板３の下面に圧接される。
これにより、ＰＣカード１００がコネクタ部１０と電気的に接続され、しかも、ＰＣカード１００が放熱板３に圧接した状態になるので、ＰＣカード１００を駆動して、コネクタ部１０と接続した外部器機とＰＣカード１００との間で、信号の送受信を行うことができると共に、ＰＣカード１００から発せられた熱を放熱板３を通じて外部に効率よく放熱することができる。
【００２８】
かかる状態から、ＰＣカード１００を排出する場合には、後方に突出した釦４０ａを用いて、イジェクタロッド４０を前方に押し戻す。
図１７は、ＰＣカード１００排出時におけるカード排出機構４の動作を示すＰＣカード用コネクタの平面図であり、図１８は、ＰＣカード１００排出時におけるカード圧接機構５の動作を示すＰＣカード用コネクタの側面図である。
図１７の右向き矢印で示すように、イジェクタロッド４０を前方に押し込むと、イジェクタロッド４０と連結した第１のレバー４１の一方端部４１ｂが前方に回動し、他方端部４１ｃが後方に回動する。これと同時に、リンク部４３の作用によって、第２のレバー４２の端部４２ｂが後方に回動する。
すると、左向き矢印で示すように、第１及び第２のレバー４１，４２の舌片４１ｄ，４２ｄが可動トレイ２の係合片２２，２３を後方に押し、可動トレイ２全体を後方に移動させようとする。
このとき、図１８に示すように、第１及び第２のスライダ７２，７３の前端部７２ａ，７３ａに当接した第１及び第２のレバー４１，４２の他方端部４１ｃ，端部４２ｂが第１及び第２のスライダ７２，７３を後方にスライドさせる。これにより、ホロア７０が、カム７６の傾斜面７６ａによってガイド孔７１の縦長部７１ａ内で下方に押し下げられ、ホロア７０が横長部７１ｂに押し込められる。このため、可動トレイ２が下方に移動し、図１２に示したように、可動トレイ２がプレート６０と一体に最下位に停止することとなる。
すなわち、イジェクタロッド４０の前方への押し戻し操作により、ＰＣカード１００が、後方に押し戻されると共に放熱板３から離れるように下方移動して、最下位で停止するので、図１７に示すように、ＰＣカード１００は、放熱板３に擦れることなく、ＰＣカード用コネクタの後方に排出されることとなる。
【００２９】
このように、この実施例のＰＣカード用コネクタによれば、ＰＣカード１００がコネクタ部１０に接続した時点で初めて放熱板３に接触し、排出操作をすると同時に放熱板３から離れるので、ＰＣカード１００の挿抜時における放熱板３との摩擦による損傷を防止することができる。軽いＰＣカード１００を上下動させる簡単な構成で、ＰＣカード１００を冷却することができる。また、カード排出機構４を備えているので、イジェクタロッド４０を押し込むだけで、ＰＣカード１００を容易に排出することができ、非常に便利である。
【実施例２】
【００３０】
次に、この発明の第２実施例について説明する。
図１９は、この発明の第２実施例に係るＰＣカード用コネクタの要部を示すを斜視図であり、図２０は、図１９の矢視Ａ−Ａ断面図である。
これらの図に示すように、この実施例は、一対の検知スイッチ８−１，８−２を放熱板３の下面に取り付けた点が、上記第１実施例と異なる。
【００３１】
検知スイッチ８−１，８−２は、ＰＣカード１００（図１等参照）との接触時にオン状態になるように構成されている。
具体的には、図２０に示すように、検知スイッチ８−１，８−２が組み付けられたフレキシブル基板８５が放熱シート９の下側に配され、放熱シート９がフレキシブル基板８５を挟むように放熱板３の下面に貼り付けられている。検知スイッチ８−１，８−２は、この放熱シート９に穿設された一対の開孔９０−１，９０−２に収納されており、検知スイッチ８−１，８−２の可動接点としての導電性部材８０の先端が、放熱シート９の開孔９０−１（９０−２）から下方に所定量突出している。これにより、上昇してきたＰＣカード１００によってこの先端を押し込まれ、検知スイッチ８−１（８−２）がオン状態になるようになっている。
【００３２】
ここで、検知スイッチ８−１（８−２）について、詳しく説明する。
図２１は、検知スイッチ８−１（８−２）の分解斜視図であり、図２２は、図２１の検知スイッチ８−１（８−２）を組み付けた状態での矢視Ｂ−Ｂ断面図である。
これらの図に示すように、各検知スイッチ８−１（８−２）は、放熱板の下側に固定される第１及び第２の固定接点８１，８２と、スペーサ８３と、これら第１及び第２の固定接点８１，８２及びスペーサ８３の下側に位置し、第１及び第２の固定接点８１，８２に接触又は離反して検知スイッチ８−１（８−２）をオン状態又はオフ状態にする導電性部材８０とで構成され、フレキシブル基板８５に組み付けられている。
図２３は、検知スイッチ８−１，８−２が組み付けられたフレキシブル基板８５の平面図である。
図２３に示すように、このフレキシブル基板８５は一のライン印刷部８６とこのライン印刷部８６から分岐した一対の検知スイッチ形成部８７−１，８７−２とを有している。
検知スイッチ８−１（８−２）の第１及び第２の固定接点８１，８２は、検知スイッチ形成部８７−１（８７−２）にパターン形成され、図２１に示すように、所定高さのスペーサ８３が、これら第１及び第２の固定接点８１，８２を囲むように検知スイッチ形成部８７−１（８７−２）に取り付けられている。そして、導電性部材８０が、このスペーサ８３に固着され、第１及び第２の固定接点８１，８２を覆う。
図２２に示すように、スペーサ８３の高さは、第１及び第２の固定接点８１，８２の厚さよりも若干高く設定されており、第１及び第２の固定接点８１，８２と導電性部材８０との間に隙間ｔの発生を許している。これにより、常時は、導電性部材８０と第１及び第２の固定接点８１，８２とが非接触で、検知スイッチ８−１（８−２）がオフ状態にある。そして、二点鎖線で示すように、導電性部材８０をその弾性を利用して撓ませ、第１及び第２の固定接点８１，８２に接触させることにより、第１及び第２の固定接点８１，８２間を短絡させて、検知スイッチ８−１（８−２）をオン状態にすることができる。
そして、図２３に示すように、検知スイッチ形成部８７−１，８７−２に形成された検知スイッチ８−１，８−２の第１及び第２の固定接点８１，８２が、ライン印刷部８６にパターン形成された複数のライン８８にそれぞれ電気的に接続され、ライン印刷部８６が、図１９に示すように、放熱板３の外部に延出している。
【００３３】
かかる構成により、図２４に示すように、ＰＣカード１００がハウジング１に完全に挿入される以前は、ＰＣカード１００が放熱板３下面の放熱シート９と離れた状態にある。この状態では、放熱シート９の開孔９０−１，９０−２から突出した検知スイッチ８−１，８−２の導電性部材８０，８０は、第１及び第２の固定接点８１，８２（図２１参照）に接触していないので、検知スイッチ８−１，８−２はオフ状態である。
しかし、ＰＣカード１００がハウジング１に完全に挿入され、ＰＣカード１００が放熱板３下面の放熱シート９に圧接すると、図２２の二点鎖線及び図２５に示すように、導電性部材８０がＰＣカード１００によって第１及び第２の固定接点８１，８２側に撓まされ、導電性部材８０が第１及び第２の固定接点８１，８２に接触して、検知スイッチ８−１，８−２がオン状態になる。
したがって、図２３に示すフレキシブル基板８５のライン印刷部８６を図示しない表示装置に接続しておくことで、ＰＣカード１００が放熱シート９を介して放熱板３に確実に圧接しているか否かをこの表示装置で確認することができる。
【図面の簡単な説明】
【００３４】
【図１】この発明の第１実施例に係るＰＣカード用コネクタを示す斜視図である。
【図２】放熱板を搭載した状態を示すＰＣカード用コネクタの斜視図である。
【図３】ＰＣカード用コネクタの平面図である。
【図４】ＰＣカード用コネクタの側面図である。
【図５】プレートが付勢部材の付勢力に抗して最下位に位置している状態を示す部分断面図である。
【図６】プレートが付勢部材の付勢力によって最上位に持ち上がられている状態を示す部分断面図である。
【図７】カムホロア部を示す部分拡大図である。
【図８】可動トレイから突出したホロアとスライダのカムとの係合状態を示す断面図である。
【図９】ホロアがカムの傾斜面に沿って上方に移動する状態を示す部分側面図である。
【図１０】ホロアがカムの傾斜面によって下方に移動する状態を示す部分側面図である。
【図１１】初期時におけるＰＣカード用コネクタの側面図である。
【図１２】ＰＣカードをコネクタ部に接続する前のＰＣカードと放熱板との関係を示す断面図である。
【図１３】初期時におけるＰＣカード用コネクタの平面図である。
【図１４】ＰＣカード接続時におけるＰＣカード用コネクタの平面図である。
【図１５】ＰＣカード接続時におけるＰＣカード用コネクタの側面図である。
【図１６】ＰＣカード接続時におけるＰＣカードと放熱板との関係を示す断面図である。
【図１７】ＰＣカード排出時におけるカード排出機構の動作を示すＰＣカード用コネクタの平面図である。
【図１８】ＰＣカード排出時におけるカード圧接機構の動作を示すＰＣカード用コネクタの側面図である。
【図１９】この発明の第２実施例に係るＰＣカード用コネクタの要部を示すを斜視図である。
【図２０】図１９の矢視Ａ−Ａ断面図である。
【図２１】検知スイッチの分解斜視図である。
【図２２】図２１の検知スイッチを組み付けた状態での矢視Ｂ−Ｂ断面図である。
【図２３】検知スイッチが組み付けられたフレキシブル基板の平面図である。
【図２４】検知スイッチのオフ状態を示す断面図である。
【図２５】検知スイッチがオン状態を示す断面図である。
【符号の説明】
【００３５】
１…ハウジング、  ２…可動トレイ、  ３…放熱板、  ４…カード排出機構、  ５…カード圧接機構、  ６…付勢部、  ７…カムホロア部、  ８−１，８−２…検知スイチ、  ９…放熱シート、  １０…コネクタ部、  １２，１３…側部、  １１…前部、  ２２，２３…係合片、  ３０…平板ベース、  ３１…フィン、  ３２…タブ、  ４０…イジェクタロッド、  ４０ａ…釦、  ４０ｂ…保持片、  ４０ｃ…連結孔、  ４１…第１のレバー、  ４１ａ，４２ａ…軸、  ４１ｂ…一方端部、    ４１ｃ…他方端部、  ４１ｄ…舌片、  ４２…第２のレバー、  ４２ａ…軸、  ４２ｂ…端部、  ４２ｄ…舌片、  ４３…リンク部、  ４３ａ…突起、  ４３ｂ…長孔、  ６０…プレート、    ６０ａ…タブ、  ６０ｂ…矩形口、  ６１…付勢部材、  ６１ａ…フック部、  ７０…ホロア、  ７１…ガイド孔、  ７１ａ…縦長部、  ７１ｂ…横長部、  ７２…第１のスライダ、  ７２ａ，７３ａ…前端部、  ７３…第２のスライダ、  ７４…スライダホルダ、  ７６…カム、  ７６ａ…傾斜面、  ７６ｂ…係合面、  ８０…導電性部材、  ８１，８２…固定接点、  ８３…スペーサ、  ８５…フレキシブル基板、  ８６…ライン印刷部、  ８７…検知スイッチ形成部、  ８８…ライン、  ９０…開孔、  １００…ＰＣカード。
【図１】
2005242946.tif 000003
【図２】
2005242946.tif 000004
【図３】
2005242946.tif 000005
【図４】
2005242946.tif 000006
【図５】
2005242946.tif 000007
【図６】
2005242946.tif 000008
【図７】
2005242946.tif 000009
【図８】
2005242946.tif 000010
【図９】
2005242946.tif 000011
【図１０】
2005242946.tif 000012
【図１１】
2005242946.tif 000013
【図１２】
2005242946.tif 000014
【図１３】
2005242946.tif 000015
【図１４】
2005242946.tif 000016
【図１５】
2005242946.tif 000017
【図１６】
2005242946.tif 000018
【図１７】
2005242946.tif 000019
【図１８】
2005242946.tif 000020
【図１９】
2005242946.tif 000021
【図２０】
2005242946.tif 000022
【図２１】
2005242946.tif 000023
【図２２】
2005242946.tif 000024
【図２３】
2005242946.tif 000025
【図２４】
2005242946.tif 000026
【図２５】
2005242946.tif 000027